(57)【特許請求の範囲】
【請求項１】
水中に設置する灯標の浮体部の上部に設けられたプラットホーム部に設置される灯標収納庫において、該灯標収納庫の側壁には複数のステップが着脱可能としてあり、前記灯標収納庫の内部に配置された、電池を収納するキャスター付き電池収納箱及び該電池収納箱が配設される電池室の蓋には引き手が着脱可能としてあり、前記ステップと前記引き手とは、相互に使用可能であることを特徴とする灯標収納庫。
【請求項２】
前記ステップと前記引き手とは、何れか一方のみが具備されていることを特徴とする請求項１に記載の灯標収納庫。
【発明の詳細な説明】
【０００１】
【発明の属する技術分野】
本発明は、灯標収納庫に関し、特にプラットホームの保守管理作業が容易な収納庫を具備した灯標収納庫に関する。
【０００２】
【従来の技術】
海上を航行する船舶に航路または工事区間を表示する灯標には、杭打式灯標と浮体式灯標がある。該灯標には円形のプラットホーム部が水上に設けられている。図７は、従来のプラットホーム部上に設置されている機器の概略配置図である。図７において、プラットホーム部１は円形をしていて、その最外周には船舶が衝突した時の損傷を軽減する防護枠４が立設されている。該防護枠４の内側には太陽電池３が複数設けられていて、更にその内側には作業者の転落を防止するパイプ柵５が立設されている。該パイプ柵５の内側は踊り場２となっていて、レーザ装置台１０、その右側には電池室６と機器収納室８が、前記電池室の前にはハッチ１４が配設されている。
【０００３】
前記電池室６と機器収納室８とは後述するように一体化されていて、前記機器収納室８に格納されている機器への電源の供給が電池室６に格納されている図示していない電池から供給される。又、前記機器収納室８の上には灯器台１２と、灯器台１２には図示していない灯器が設けられている。電池室６のハッチ１４に面した側の側壁には手摺１３とステップ１１が固定して設置されている。その裏側には扉７が、また、機器収納室８の電池室６に接していない側には扉１５が設けられている。
【０００４】
上述したように、ステップの手前に設けられているハッチ１４は、その下にある図示していない浮体部の点検時には上下に開閉する。又、電池室６の扉７の手前側は、電池の交換、保守時に当該電池を外に引き出す必要がある。このために、前記ハッチ１４及び扉７の手前のスペースを確保しておくことが必要である。
【０００５】
【発明が解決しようとする課題】
しかし、前記プラットホーム部１は、その下に設けられた浮体部の浮力及び、水上の風力、波力、波高、経済性などの諸条件を考慮して無駄のない大きさになっている。前述した各種の機材、装置をそこに設けると、作業者の作業スペースがあまりない。一方、前記プラットホーム部１は水上に設置されており、灯器の交換や、蓄電池の交換、各種の機材、装置などの保守作業が必要になる。しかし、前述したように前記踊り場２のスペースは少なく、そのためにプラットホーム部１上での作業が危険になるという問題点があった。
【０００６】
特に、ハッチ１４に面した側の電池室６には手摺１３とステップ１１がその側壁に固定して設置されており、中でもステップ１１は該電池室６の略中央に位置し、前記ハッチ１４を開いて浮体部の保守を行なう際にはこれが邪魔になる。又、前記各種の機材、装置、灯器などを動作させるための電池は、その重量が大であり、電池室６から取り出すのが容易でない問題点もあった。
【０００７】
本発明は、係る問題を解決して、灯器の交換や電池の保守作業の容易な灯標収納庫を提供することを目的としてなされたものである。
【０００８】
【課題を解決するための手段】
本発明は上記目的を達成するために請求項１記載の灯標では、水中に設置する灯標の浮体部の上部に設けられたプラットホーム部に設置される灯標収納庫において、該灯標収納庫の側壁には複数のステップが着脱可能としてあり、前記灯標収納庫の内部に配置された、電池を収納するキャスター付き電池収納箱及び該電池収納箱が配設される電池室の蓋には引き手が着脱可能としてあり、前記ステップと前記引き手とは、相互に使用可能であることを特徴とする。
【０００９】
請求項２記載の本発明は、請求項１に記載の灯標収納庫において、前記ステップと前記引き手とは、何れか一方のみが具備されていることを特徴とする。
【００１０】
【発明の実施の形態】
図１、図２は、本発明における電池室６の実施形態を説明する図であって、図１は上面図、図２は側面図である。なお、以下の説明において機器の配置は図７と同一であるとして説明をする。図１において、電池室６は機器収納室８と一体化されていて、機器収納室８に格納されている図示していない機器への電源の供給が電池室６に格納されている電池１８（１８ａ、１８ｂ、１８ｃ）から配管１７に貫通されたケーブルによって供給される。電池室６と機器収納室８は、その横方向の移動を防止するストッパー１９ａ、１９ｂによって両方向から固定されていて、全体はプラットホーム部１の床２１に固定されている。
【００１１】
前記電池１８（１８ａ、１８ｂ、１８ｃ）は、電池収納箱２３（２３ａ、２３ｂ、２３ｃ）にそれぞれ収納されていて、各電池収納箱２３の底部にはその移動を容易にするために図示してあるキャスター２４（２４ａ、２４ｂ）と、それと対称の位置にも図示していないキャスターが、それぞれ設けられている。電池室６は、３層構造になっていて、前記電池収納箱２３（２３ａ、２３ｂ、２３ｃ）が各層に配設される。そして、各電池収納箱２３（２３ａ、２３ｂ、２３ｃ）は、図示していない引き手を引くことにより、それぞれ独立して扉７の方向に引き出し可能である。その結果、前記電池収納箱２３（２３ａ、２３ｂ、２３ｃ）に収納されている電池１８がそれぞれ電池室６の外に引き出される。
【００１２】
又、取っ手２２が前面に設けられた扉７は、周知の継ぎ手２６により片方向に開閉可能になっていて、該扉７が閉じられた時に電池室６は周知のロック機構２６１により密閉される。機器収納室８の上には灯器台１２が設置されていて、そこには図示していない周知の灯器が設けられる。扉１５は、周知の継ぎ手２６により片方向に開閉可能になっていて、該扉１５が閉じられた時に機器収納室８は前記ロック機構２６１により密閉される。
【００１３】
電池室６における扉７の裏側の面には、ステップ１１と手摺１３とが以下のように設置されている。即ち、手摺１３は電池室６の側壁１６ａの端に固定して縦に設けられ、その内側に設けられた複数のステップ１１は着脱可能である。図３、図４は、前記ステップ１１と、それを固定する固定部２５の実施形態の図であって、それぞれ図３（ａ）は上面図、図３（ｂ）は正面図、図３（ｃ）は側面図、図４（ａ）は上面図、図４（ｂ）は正面図、図４（ｃ）は側面図である。
【００１４】
図３において、ステップ１１は、上面及び正面からみると略「コ」の字形状をしていて、たとえばアルミなどの腐食しにくい金属パイプで形成されている。その先端１１１は、Ｌ字型になっていて、係る部分が図４に示す固定部２５の貫通孔２５１に嵌合し、所定の位置で停止する。なお、ステップ１１は着脱可能なように貫通孔２５１の径より僅かに細い。又、前記停止は、前記Ｌ字型の角（Ａ）の部分が前記貫通孔２５１の上部に接触した位置で停止してもよく、それ以外の方法、例えば先端１１１から前記Ｌ字型の角（Ａ）までの間にステップ１１に凸部を設けて、係る凸部で停止するようにしてもよい。
【００１５】
図４に示すように、前記固定部２５は張り出し部２５２を有し、そこには複数の孔２５３が貫通されていて、電池室６の側壁１６ａに図示していないネジでステップ１１の幅にあうように固定される。なお、ネジ止め以外に溶接により固定部２５を電池室６の側壁１６ａに固定してもよい。
【００１６】
前記固定部２５は、図２に示すように電池室６の側壁１６ａに略等間隔で複数設けられている。ステップ１１を使用する時には、後述するように当該電池室６内に設置されている電池１８（１８ａ、１８ｂ、１８ｃ）を収納する電池収納箱２３（２３ａ、２３ｂ、２３ｃ）に設けられている複数の引き手４０を取り外して前記複数の固定部２５の貫通孔２５１に引き手４０の先端１１１を挿入して嵌合してステップ１１とする。
【００１７】
前記電池収納箱２３（２３ａ、２３ｂ、２３ｃ）に設けられている複数の引き手４０について以下に説明する。図５、図６は電池室６に収納されている前記電池収納箱２３（２３ａ、２３ｂ、２３ｃ）の作用を説明する図であって、図５は扉７方向に対する側面図、図６は正面図である。なお、図５、図６においては、図２の最上段の電池収納箱２３ａについて説明をするが、他の電池収納箱２３ｂ、２３ｃについても同様であり、その説明を省略する。
【００１８】
図５において、電池収納箱２３ａには電池１８ａが図示していない保持具により電池１８ａが電池収納箱２３ａ内で移動しないように収納されている。当該電池収納箱２３ａの低部にはキャスターが前述のように設けられていて、当該電池収納箱２３ａは台２８に搭載されている。前記電池収納箱２３ａの前面には引き手４０と固定具２６とが設けられていて、該引き手４０は着脱可能である。なお、前記引き手４０と固定具２６とは、前述したステップ１１と固定具２５とそれぞれ同一形状であり、その説明を省略する。引き手４０はステップ１１と相互に使用可能である。
【００１９】
台２８は、電池室６を３層構造にしきる床２９に固定されていて、扉７に近い端が折りたたみ可能になっていて、各電池室６の蓋（扉７とは別に、扉７の内側に設けられている）３０を形成し、該蓋３０が前に倒れると電池１８ａが外に取りだし可能になる。該蓋３０は電池の重量に耐えるように、その両側がステイ３２ａにより支えられている。該ステイ３２ａは周知の方法により、その一方の端が前記蓋３０に開閉可能なように固定され、他方の端が電池室６の側壁１６ａに固定されている案内レール３３ａに移動可能なように設けられている。
【００２０】
前記蓋３０は、電池収納箱２３ａの長さが長い場合には、該電池収納箱２３ａが電池室６から外に出るように延長ふた３１が設けられていて、該延長ふた３１は前記蓋３０に収納可能になっている。なお、前記台２８、蓋３０、延長ふた３１には、電池収納箱２３ａの移動を補助する図示していないレールを設け、係るレール上を前記キャスターが移動するようにしてもよい。
【００２１】
又、図６に示すように、当該電池収納箱２３ａの移動を容易にするガイドレール３４ａ、３４ｂが、電池収納箱２３ａの両側２３ａ、２３ｂに設けられていて、前記ガイドレール３４ａ、３４ｂは、その上下を電池収納箱２３ａに設けられた補助手段３５ａ、３５ｂにより前記電池収納箱２３ａが前記ガイドレール３４ａ、３４ｂから外れないようになっている。
【００２２】
前記蓋３０の前面には、引き手４０が嵌合される固定具２６（２６ａ、２６ｂ）が設けられていて、その構造は、前述したステップ１１とこの固定具２５と同一であり、説明を省略する。引き手４０はステップ１１と相互に使用可能である。なお、前記引き手４０と固定具２６の数は電池収納箱２３ａにそれぞれ１個ずつ設けてあるか、電池１８ａの重量、電池収納箱２３ａの大きさにより、これ以外の数であってもよい。係る場合、その数は前記ステップ１１の数と同一またはそれ以上であることが好ましい。また、前記引き手４０を具備すれば、ステップ１１は具備しなくともよい。
【００２３】
【発明の効果】
請求項１記載の灯標収納庫によれば、
水中に設置する灯標の浮体部の上部に設けられたプラットホーム部に設置される灯標収納庫において、該灯標収納庫の側壁には複数のステップが着脱可能としてあり、前記灯標収納庫の内部に配置された、電池を収納するキャスター付き電池収納箱及び該電池収納箱が配設される電池室の蓋には引き手が着脱可能としてあり、前記ステップと前記引き手とは、相互に使用可能であることにより、収納庫上部に上る時以外は踊り場のスペースが広がり、作業スペースが確保される。又、ステップを使用しない間は収納庫内に収納されているので、風雨に曝されず、腐食の進行が防止される。
【００２４】
請求項２に記載の灯標収納庫では、前記ステップと前記引き手とは、何れか一方のみが具備されていることにより、通常は風雨に曝されない収納庫内の電池収納箱の引き手として収納しておき、収納庫上部に上る時には前記電池収納箱の引き手を外して、前記収納庫側壁に設けるステップとして用いることができ、両者を具備する場合に比べて経済的である。
【図面の簡単な説明】
【図１】本発明における電池室の実施形態を説明する上面図である。
【図２】本発明における電池室の実施形態を説明する側面図である。
【図３】ステップの実施形態の図であって、それぞれ図３（ａ）は上面図、図３（ｂ）は正面図、図３（ｃ）は側面図である。
【図４】ステップを固定する固定部の実施形態の図であって、それぞれ図４（ａ）は上面図、図４（ｂ）は正面図、図４（ｃ）は側面図である。
【図５】電池室に収納されている前記収納箱の作用を説明する図であって、扉方向に対する側面図である。
【図６】電池室に収納されている前記収納箱の作用を説明する図であって、扉方向に対する正面図である。
【図７】従来のプラットホーム部上に設置されている機器の概略配置図である。
【符号の説明】
１  プラットホーム部
６  電池室
７、１５  扉
８  機器収納室
１１  ステップ
１８  電池
２３  電池収納箱
４０  引き手
【図１】
0004154646.tif 000002
【図２】
0004154646.tif 000003
【図３】
0004154646.tif 000004
【図４】
0004154646.tif 000005
【図５】
0004154646.tif 000006
【図６】
0004154646.tif 000007
【図７】
0004154646.tif 000008